(57)【要約】【課題】  プリント基板間の接触部に高速信号が通過するときにインピーダンスの不整合による反射波の発生、結果として放射電磁界が発生し電気機器に影響を与える事がわかっている。この接触部をGNDでシールドする機構が必要であった。【解決手段】  第1の電気基板と第2の電気基板とを位置決めして接続する電気基板の接続構造において、前記第1の電気基板に所定の第1のパターンを設け、前記第2の電気基板に所定の第2のパターンを設け、前記第１のパターンと前期第２のパターンは放射状に作成されているとき、前記第1のパターンと前記第2のパターンをネジが覆うようにして、GNDである基板金属シャーシ部に共締めすることで締め付けトルクにより電気基板の両方を接続し、ビスとシャーシで接続部をシールドする。【選択図】  図１
2009141259.tif 000002
【特許請求の範囲】
【請求項１】
第1の電気基板（1）に所定の第1のパターン（1h,1i,1j）を設け、第2の電気基板（2）に所定の第2のパターン(2h,2i,2j)を設け、前記第1の電気基板（1）と前記第2の電気基板（2）とを位置決めし、回路のGNDに接続され、前記第１の電気基板（1）と第２の電気基板（2）を取り付ける為の金属シャーシ（3）を用いた電気基板の接続構造において、
前記第１のパターン（1h,1i,1j）と前期第２のパターン(2h,2i,2j)は放射状に、相対する位置に対応するパターンが形成されていて、前記第1のパターン（1h,1i,1j）と前記第2のパターン(2h,2i,2j)をネジ（6）が覆うようにして、GNDである前記金属シャーシ部（3）に共締めすることで電気基板の両方を接続し、接続部をネジ（6）でシールドしたことを特徴とする電気基板の接続構造。
【請求項２】
前記第1の電気基板（1）と前記第2の電気基板（2）が両面基板であるときに、前記第1の電気基板（1）と前記第2の電気基板（2）が接する面とは反対面にそれぞれ第1のGNDパターン（1ｇ）と第2のGNDパターン（２ｇ）を設けた事を特徴とする請求項１に記載の電気基板の接続構造。
【発明の詳細な説明】
【技術分野】
【０００１】
本発明は電気信号を制御する電気機器において、フレキシブルプリント基板などの電気基板間の電気信号を接続する電気基板の接続構造に関するものである。
【背景技術】
【０００２】
電気基板を重ね合わせた後にこれらを上下から挟持する機構によって別途接続関係を強化し一般にパターンエッチングによって所定の回路パターンを形成したプリント基板または電気基板に関する技術は種々提案されている。（特許文献１）
その従来構成を図4に示すが、プリント基板を重ねて押さえ部品を介し、接触圧をもたせていることがわかる。
【特許文献１】実開昭61-27269号公報
【発明の開示】
【発明が解決しようとする課題】
【０００３】
しかしながらこの従来の挟持構造は大がかりなものになってしまっており、省スペースが求められる機器に対しては不都合であった。なおかつ従来は接触部のパターンは1列に配列されていたから例えば図４のように端二箇所でビス締めを行ったときにはビスから最も離れた中央の接触部は十分な接触圧が保てない事があった。
【０００４】
また接触部に高速信号が通過するときにインピーダンスの不整合による反射波の発生、結果として放射電磁界が発生し電気機器に影響を与える事がわかっている。この接触部をGNDでシールドする機構が必要であった。
【０００５】
そこで、本発明の目的は複数基板上のパターン接点同士を接続する際に、より容易にしかも正確に出来るように組立製向上、どの接触部も均一な接触圧を保ち、さらに接触部からの放射電磁界の発生を防ぐ事の出来る、フレキシブルプリント基板などプリント基板（電気基板）の接続構造を提供することにある。
【課題を解決するための手段】
【０００６】
上記の課題を解決する為に本発明は、
請求項１の態様による如く第1の電気基板に所定の第1のパターンを設け、第2の電気基板に所定の第2のパターンを設け、前記第1の電気基板と前記第2の電気基板とを位置決めし、回路のGNDに接続され、前記第１の電気基板と第２の電気基板を取り付ける為の金属シャーシを用いた電気基板の接続構造において、前記第１のパターンと前期第２のパターンは放射状に、相対する位置に対応するパターンが形成されていて、前記第1のパターンと前記第2のパターンをネジが覆うようにして、GNDである前記金属シャーシ部に共締めすることで電気基板の両方を接続し、接続部をネジでシールドしたことを特徴とする電気基板の接続構造を提供する。
【０００７】
また請求項2の態様による如く前記第1の電気基板と前記第2の電気基板が両面基板であるときに、前記第1の電気基板と前記第2の電気基板が接する面とは反対面にそれぞれ第1のGNDパターンと第2のGNDパターンを設けた事を特徴とする請求項１に記載の電気基板の接続構造を提供する。
【発明の効果】
【０００８】
以上説明したように、本発明によれば、複数基板上のパターン接点同士を接続する際に、より容易に組立性を向上し、しかも部品数削減によるコストダウンが出来、どの接触部も均一な接触圧を保ち、さらに接触部からの放射電磁界の発生を防ぐ事の出来る接続構造を提供することにある。
【発明を実施するための最良の形態】
【０００９】
次に、本発明の詳細を実施例の記述に従って説明する。
【００１０】
以下、本発明の実施形態について説明する。
【実施例１】
【００１１】
まず、本発明の第１の実施例による接続構造について説明する。図１は本発明による接続構造の組立構成を斜視図で示している。所定のパターンが形成された電気基板１と、同じく所定のパターンが形成された電気基板２と、土台となる基台３とが図示の如く重なり合う位置に配されている。電気基板１および電気基板２は、ある程度伸縮自在な材質の柔軟性を有する厚さ３５〜５０ミクロン程度の極薄い基板であり、電気的接続に係わらない領域は保護と絶縁のためにポリエステル等のポリイミドのカバーレイで例えば２５〜３５ミクロン程度の厚さに被覆されているフレキシブルプリント基板である。
【００１２】
これら複数の基板１、２のうちの電気基板１には、後述するネジ６等により貫通され機械的接続で固定するための穴１ａが設けられている。この穴１ａの中心を通る長手方向の軸線上には、位置決め穴１ｂ，１ｃとが設けられている。
【００１３】
上記穴１ａの周囲領域にはこの穴に同軸にカバーレイが被覆されていない輪郭のカバーレイ穴１ｆと、この周囲領域内には、多数の電気接点（即ちパターン接点）１ｈ，１ｉ，１ｊが放射状に配置されている。
【００１４】
組立時の上方から重ねる「第2の電気基板」とも言える電気基板２には、前述した電気基板１に形成された穴１ａに対応するような位置に、ネジ等により貫通させて固定するための穴２ａが設けられているほか、位置合わせの為の２つの穴２ｂ，２ｃが設けられている。
【００１５】
また、この電気基板２には、電気基板１の電気接点１ｈ，１ｉ，１ｊに対応する同じ位置に電気接点、２ｈ，２ｉ，２ｊが配置され、互いに電気的に接触するように設定されている。
【００１６】
基台３は、例えばSUS板で作られたシャーシであり、その上面にはネジ用穴３ａが設けられている。また、このネジ用穴３ａ長手方向の軸線上には、所定の高さの垂直に突出した棒状の位置合わせポスト３ｂ，３ｃが所定の間隔で配置されている。これら位置合わせポスト３ｂ，３ｃは、基台３と電気基板１，電気基板２との位置合わせの為に設けられた一対の突出部材であり、前述の各穴を通すことで基板が基台３上に軸線を一致させて整列させるための部材である。
【００１７】
このように鉛直方向に整列配置した電気基板１、電気基板２および基台３は、図示の如く、ネジ６がそれら穴２ａおよび穴１ａの中心に貫通して基台３のネジ用穴３ａに螺合されることで一体的に固定化される。
【００１８】
図２には、図１に例示した如くの構成部材から成る接続構造を組立して完了された状態を示している。電気基板２に設けられた位置合わせ用の穴２ｂ，２ｃと、電気基板１に設けられた位置合わせ用の穴１ｂ，１ｃとは、それぞれ基台３上に設けられた位置合わせポスト３ｂ，３ｃにそれぞれ貫通させ、基台３上に重ね合わせ状態であらましの位置決めがなされると、図示の如くネジ６を通すことにより固定する。
【００１９】
このとき、電気基板１に放射状に設けられたパターン1ｈ、１i、１ｊは電気基板２に放射状に設けられたパターン2ｈ、2i、2ｊに接する。そしてネジ６に締め付けられ電気的接続が取られる。パターンが放射状になっていることにより各信号線にネジ６が均等の力で締め付けられ接触圧は各パターン均一になる。また、ネジ６を菊座ネジにする事でより安定した接触圧を得る事が出来る。
【００２０】
また土台3をGNDにすることで、ネジ６もネジ部を介してGNDになる。その結果、電気基板１と電気基板２が接する箇所はGNDによってシールドされることになり、放射電磁界を低減する事が出来る。なお、ネジ６を土台３に締め付ける際にワッシャを間に入れておく事でシールドする範囲を広げておいても良い。
【００２１】
次に、本発明の第2の実施例による接続構造について説明する。図３には図1の実施例に加えて電気基板1と電気基板２が接する面とは逆面にベタパターンを設けたものである。土台３とビス６を介してこれらベタパターンはGNDとなり、ネジ６より広い範囲をシールドする事が出来、より一層放射電磁界に対するシールド性が高まる。
【図面の簡単な説明】
【００２２】
【図１】本発明の第1実施例に係わる基板間接族構造の構成を説明する図である。
【図２】本発明の第1実施例に係わる基板間接族構造の組立後の状態を説明する図である。
【図３】本発明の第2実施例に係わる基板間接族構造の構成を説明する図である。
【図４】従来例を説明する図である。
【符号の説明】
【００２３】
１  本発明の電気基板１
２  本発明の電気基板２
３  本発明の基台
６  本発明のビス
102  従来例のビス
103  従来例の押さえ部材
104  従来例の電気基板１
105  従来例の電気基板2
106  従来例の基台
【図１】
2009141259.tif 000003
【図２】
2009141259.tif 000004
【図３】
2009141259.tif 000005
【図４】
2009141259.tif 000006